(57)【特許請求の範囲】
【請求項１】
建物の矢切部を覆う矢切パネルを屋根架構の妻側端縁に取付ける構造であって、
前記矢切パネルには、裏面の下端縁および上端縁に沿って、ボルトがスライド可能に挿入されるレールをそれぞれ設けておき、該レールに挿入したボルトにより該矢切パネルを、長方形に枠組みしてなるフレームの上面に野地板をその軒先側端部が前記フレームの軒先側端部よりも内方に後退するように固定してなり、棟側の小屋束と軒側の小屋束とにより梁上に支持された屋根パネルの妻側端縁に取付けることを特徴とする矢切パネルの取付構造。
【請求項２】
前記矢切パネルが、直角三角形の先端部が欠落した形状であり、該欠落部分が、建物の出隅の最上部に取付けられる出隅壁パネルの上部で覆われることを特徴とする請求項１記載の矢切パネルの取付構造。
【発明の詳細な説明】
【０００１】
【発明の属する技術分野】
この発明は、建物の矢切部における外壁を構成する矢切パネルを、屋根架構の妻側端縁に取付ける構造に関する。
【０００２】
【従来の技術】
従来、図８に示すように、梁５ａ、合掌５ｂ、母屋５ｃ、棟木５ｄ等で構成される屋根架構５の妻側端縁に、建物の矢切部に対応する略三角形状の矢切パネル１０を取付けることにより、該矢切部を覆うことがなされている。この矢切パネル１０は、通常、裏面にインサートナット等を設けておき、この部位を適宜ファスナ等を介して屋根架構５に取付けるようにしている。
【０００３】
【発明が解決しようとする課題】
しかしながら、上記のような方法によって矢切パネル１０を屋根架構５に取付ける際には、インサートナット形成部を所定の取付位置に合わせるための位置決めが行い難く、このため施工が面倒となっているという問題がある。
【０００４】
この発明は、以上のような問題点に鑑みてなされたものであり、矢切パネルの取付の際の位置決めを容易に行うことのできる矢切パネルの取付構造を提供することを目的とする。
【０００５】
【課題を解決するための手段】
上記目的を達成するためになされたこの発明の矢切パネルの取付構造は、建物の矢切部を覆う矢切パネルを屋根架構の妻側端縁に取付ける構造であって、前記矢切パネルには、裏面の下端縁および上端縁に沿って、ボルトがスライド可能に挿入されるレールをそれぞれ設けておき、該レールに挿入したボルトにより該矢切パネルを、長方形に枠組みしてなるフレームの上面に野地板をその軒先側端部が前記フレームの軒先側端部よりも内方に後退するように固定してなり、棟側の小屋束と軒側の小屋束とにより梁上に支持された屋根パネルの妻側端縁に取付けることを特徴とするものである。
【０００６】
また、本発明の矢切パネルの取付構造は、前記矢切パネルが、直角三角形の先端部が欠落した形状であり、該欠落部分が、建物の出隅の最上部に取付けられる出隅壁パネルの上部で覆われることを特徴とするものである。
【０００７】
【発明の実施の形態】
図１は、この発明の矢切パネルの取付構造の一実施形態を示す断面図であり、図２は図１の矢切パネルの背面図である。図１及び２に示すように、矢切パネル１の裏面には、下部レール１１および上部レール１２がそれぞれ埋設されており、図１に示すように、該下部レール１１および上部レール１２にそれぞれ挿入された摺動ボルト１４により、該矢切パネル１が屋根架構（梁５ａ及びフレーム３２）の妻側端縁に取付けられている。
【０００８】
図２に示す矢切パネル１は、建物の矢切部の右半分を覆うためのものであり、略直角三角形状に形成されている。なお、矢切部の左半分に取付けられる矢切パネルは、上記矢切パネル１と左右対称に形成されているため、ここではその説明は省略する。
【０００９】
下部レール１１は、図２に示すように、矢切パネル１の下端縁（底辺）に沿って、矢切パネル１の左端から右端まで水平に延びるように設けられている。この下部レール１１は、図３に示すように、Ｃ字状の断面形状を有するレール（以下、Ｃレールと称す）となっており、内部に摺動ボルト１４が挿入される。この摺動ボルト１４により、矢切パネル１の下部レール１１形成部が屋根架構に固定される。
【００１０】
上記摺動ボルト１４は、図３に示すように、垂直片１４ａと、該垂直片１４ａから突出した２本のネジ棒１４ｂとよりなり、該垂直片１４ａは、ネジ棒１４ｂを外側に向けて下部レール１１内に挿入される。なお、図４に示すように、垂直片１４０ａから１本のネジ棒１４０ｂが突出した構成を有する摺動ボルト１４０を用いてもよい。
【００１１】
上記構成により、摺動ボルト１４は下部レール１１に沿ってスライドして移動することができ、当該下部レール１１上の任意の位置において固定することができる。したがって、矢切パネル１の下部レール１１形成部を屋根架構に取付ける際の位置決めを容易に行うことができる。
【００１２】
上記矢切パネル１の下部レール１１形成部は、上記摺動ボルト１４により、図１に示すように、第１ファスナ１５および取付片５１を介して梁５ａの上面に取付けられる。
【００１３】
第１ファスナ１５は、水平片１５ａと垂直片１５ｂとよりなり、該垂直片１５ｂに形成されたボルト挿通孔に上記摺動ボルト１４のネジ棒１４ｂが挿通されナットで締結される。水平片１５ａは、取付片５１に挿通されたジョイントボルト５１ａに係止される。
【００１４】
上記第１ファスナ１５の垂直片１５ｂには、摺動ボルト１４の２本のネジ棒１４ｂにそれぞれ対応するボルト挿通孔（図示せず）が設けられている。ここで、前記図４に示すように１本のネジ棒１４０ｂが突出した構成を有する摺動ボルト１４０を用いる場合は、図５に示すように、上記ネジ棒１４０ｂに対応する１個のボルト挿通孔１５０ｃが設けられた第１ファスナ１５０が用いられる。図５に示す第１ファスナ１５０は、水平片１５０ａと垂直片１５０ｂとよりなり、該垂直片１５０ｂに上記ボルト挿通孔１５０ｃが形成されている。さらに、該垂直片１５０ｂの裏面（水平片１５０ａと反対側面）には、４個の突起部１５０ｄが設けられている。この突起部１５０ｄは、ボルト挿通孔１５０ｃを包囲するように、上下に２個ずつ設けられており、第１ファスナ１５０を下部レール１１に取付けた際に、上側の２個の突起部１５０ｄが下部レール１１の上縁に、下側の２個の突起部１５０ｄが下部レール１１の下縁にそれぞれ係合するようになっている。これにより、ネジ棒１４０ｂが１本となっていても第１ファスナ１５０が回転することがなく、取付作業が容易で、かつ該第１ファスナ１５０が外れ難い。
【００１５】
上記取付片５１には、図１に示すように、上記矢切パネル１の下部レール１１形成部だけでなく、矢切パネル１の下部の外壁パネル２が外壁ファスナ２１を介して取付けられる。外壁ファスナ２１は、水平片２１ａと垂直片２１ｂとよりなり、該垂直片２１ｂが外壁パネル２の裏面上部にボルトにより締結される。水平片２１ａには上記ジョイントボルト５１ａが挿通される。これにより、外壁パネル２が取付片５１に吊り下げられる。
【００１６】
上部レール１２は、図２に示すように、矢切パネル１の上端縁（斜辺）に沿って、該上端縁に平行に、矢切パネル１の左端縁上部から、下部レール１１に当接する部位まで延びるように設けられている。この上部レール１２は、前記下部レール１１と同様のＣレールとなっている。また、上部レール１２には、前記下部レール１１の場合と同様に、摺動ボルト１４が挿入され、該摺動ボルト１４により、矢切パネル１の上部レール１２形成部が屋根架構に固定される。この上部レール１２形成部の場合も、前記下部レール１１形成部の場合と同様に、屋根架構に取付ける際の位置決めを容易に行うことができる。
【００１７】
上記矢切パネル１の上部レール１２形成部は、図１及び６に示すように、矢切アングル３１を介して屋根パネル３の妻側端縁に取付けられる。
【００１８】
図６に示すように、屋根パネル３は、軽量リップ溝形鋼を長方形に枠組みしてなる外枠３２ａの内側に鋼製の補強桟３２ｂを掛け渡してフレーム３２を構成し、該フレーム３２の上面に野地板３３を固定することにより得られたものである。フレーム３２の外枠３２ａおよび補強桟３２ｂは、それぞれ、屋根を支持する斜材（垂木）ならびに水平材（母屋）として機能する（即ち、この実施形態では、フレーム３２が屋根架構の一部となっている）。屋根パネル３は、棟側の小屋束３４ａと軒側の小屋束３４ｂとにより梁５ａ上に支持されている。
【００１９】
なお、上記野地板３３は、軒先に取付けられる他の部材やその下部の外壁パネル等の取付作業が行いやすいように、その軒先側端部をフレーム３２の軒先側端部よりも内方（棟側方向）に後退させている。
【００２０】
上記矢切アングル３１は、Ｌ字形の断面形状を有し、その垂直面が、上記小屋束３４ａ、３４ｂを間に挟むようにしてフレーム３２の妻側端縁に重合され、該小屋束３４ａ、３４ｂの部分でフレーム３２にボルトにより締結される。
【００２１】
上記矢切パネル１の上部レール１２形成部は、図１に示すように、第２ファスナ１６を介して矢切アングル３１に取付けられる。第２ファスナ１６は、水平片１６ａと垂直片１６ｂとよりなり、該垂直片１６ｂに形成されたボルト挿通孔に摺動ボルト１４のネジ棒１４ｂが挿通されナットで締結される。水平片１６ａは、矢切アングル３１の傾斜面にボルトにより締結される。
【００２２】
上記上部レール１２の場合も、前記下部レール１１の場合と同様に、１本のネジ棒１４０ｂが突出した構成を有する図４の摺動ボルト１４０を用いてもよく、またこの場合、前記図５に示す第１ファスナ１５０と同様に、上記ネジ棒１４０ｂに対応する１個のボルト挿通孔及び４個の突起部が設けられた第２ファスナ（図示せず）を用いることもできる。
【００２３】
なお、ここに示す実施形態における矢切パネル１は、右先端部が欠落した形状となっているが、図７に示すように、建物の出隅の最上部に取付けられる出隅壁パネル４の上部が、上記矢切パネル１の欠落部分に相当する形状に形成されており、これにより、該欠落部分が覆われるようになっている。このように、矢切部の端部を出隅壁パネル４の上部で覆うようにすれば、当該部位を先鋭的な形状の矢切パネルで覆う必要がないため、当該部位における外壁の強度等の点で望ましい。
【００２４】
また、上記矢切パネル１は、図７に示すように、矢切部の下部の外壁パネル２の分割数に拘らず、該矢切パネル１と対称な左用矢切パネル１（Ｌ）とあわせて左右２枚で構成される。この構成は、例えば矢切パネルをこれよりも多数に分割した場合に比して、下部レール１１および上部レール１２の配設や矢切パネル１の取付作業が容易であること等の点で有利である。
【００２５】
【発明の効果】
以上のように、この発明の矢切パネルの取付構造によれば、矢切パネル裏面の下端縁および上端縁に沿って、ボルトがスライド可能に挿入されるレールをそれぞれ設けておき、該レールに挿入したボルトにより該矢切パネルを、長方形に枠組みしてなるフレームの上面に野地板をその軒先側端部が前記フレームの軒先側端部よりも内方に後退するように固定してなり、棟側の小屋束と軒側の小屋束とにより梁上に支持された屋根パネルの妻側端縁に取付けるようにしたので、当該レール上の任意の位置でボルトによる固定を行うことができる。したがって、矢切パネルを屋根架構に取付ける際の位置決めを容易に行うことができ、施工も容易となる。
【００２６】
また、本発明の矢切パネルの取付構造によれば、前記矢切パネルが、直角三角形の先端部が欠落した形状であり、該欠落部分が、建物の出隅の最上部に取付けられる出隅壁パネルの上部で覆われるので、矢切部の端部を先鋭的な形状の矢切パネルで覆う必要がないため、当該部位における外壁の強度等の点で望ましい。
【図面の簡単な説明】
【図１】実施形態に係る矢切パネルの取付構造を示す断面図。
【図２】図１の矢切パネルの背面図。
【図３】図１の矢切パネルの下部レールおよび摺動ボルトの構成を示す斜視図。
【図４】摺動ボルトの他の例を示す斜視図。
【図５】第１ファスナの一例を示す斜視図。
【図６】図１の矢切パネルの上部レール形成部の取付構造を示す分解斜視図。
【図７】矢切パネルを矢切部に取付けた状態を示す斜視図。
【図８】従来の矢切部の構造を示す一部切欠斜視図。
【符号の説明】
１  矢切パネル
３ 屋根パネル
４ 出隅壁パネル
５ａ 梁
１１  下部レール
１２  上部レール
１４  摺動ボルト
５ａ  梁（屋根架構）
３２  フレーム（屋根架構）
３３ 野地板
３４ａ 棟側の小屋束
３４ｂ 軒側の小屋束
【図１】
0003570594.tif 000002
【図２】
0003570594.tif 000003
【図３】
0003570594.tif 000004
【図４】
0003570594.tif 000005
【図５】
0003570594.tif 000006
【図６】
0003570594.tif 000007
【図７】
0003570594.tif 000008
【図８】
0003570594.tif 000009